(57)【要約】【課題】襖等の引戸を開閉するために手指が掛けられる引手において、指先の不自由な障害者や握力の低下した老人等を含め、誰に対しても平等に襖の開閉を容易にさせるユニバーサルデザインに準拠した建具用引手を提供する。【解決手段】襖２０等の引戸式建具を開閉する際に手指が掛けられる建具用引手において、該引手を浅い底面１３と深い底面１４とを形成する凹部１２と、該凹部１２の周囲に一体的に形成した鍔部１１で構成するとともに、前記深い底面１４を手の腹が入る大きさとし、指掛け部２２を手の腹と合致し易い形状とした。【選択図】　　　　図２
2004076507.tif 000002
【特許請求の範囲】
【請求項１】
建具に取り付けられる引手において、
手指を挿入して引き操作するための凹部と、該凹部の周囲に形成された鍔部とで引手を構成し、該凹部を左右一側の浅い底面と左右他側の深い底面の二段に形成し、深い底面を手の腹が入る大きさとしたことを特徴とする建具用引手。
【請求項２】
請求項１に記載の建具用引手において、
鍔部と凹部の深い底面との間の面、及び、浅い底面と深い底面の間に形成される境界面を曲面としたことを特徴とする建具用引手。
【請求項３】
請求項１又は請求項２に記載の建具用引手において、
前記凹部の浅い底面及び深い底面の周縁部に形成される角部に面取り加工を施したことを特徴とする建具用引手。
【発明の詳細な説明】
【０００１】
【発明の属する技術分野】
本発明は、襖や引戸等の建具に設けられる引手に係り、指先の不自由な障害者や老人を含め誰にとっても平等に扱いやすい建具用引手に関する。
【０００２】
【従来の技術】
従来、襖や障子、引戸等の引戸式の建具には、手指を掛けて開閉を行い易くするために引手が設けられている。これらの引手は一般に、手指を引っ掛けるための指掛け凹部と、該指掛け凹部を建具の所定位置に固定するための鍔部とを有し、それらが一体成形されて、建具の所定位置に穿孔された貫通孔に取り付けられるようになっている。具体的には、図８に示すように引戸１０１の所定位置に穿孔された貫通孔１０１ａに対して、二枚の引手１００・１００を引戸の表裏面から対向させて接着または、釘止めによって取り付けるようにしていたのである。
【０００３】
しかし、このような従来の引手構造では、指が掛かる部分である指掛け凹部を最大でも引戸の厚みに対して半分の深さにしかすることができないため、指掛け凹部が浅くなり、指先の不自由な障害者や握力の低下した老人等にとっては、引戸の開閉が行いにくくなっていたのである。
上述の不具合に鑑みて、特開平８−２４００４２号公報では、引戸の厚みに対して指掛け部分を最大限に深くすることで、引戸の開閉をより容易に為され得るようにした技術が提案されている。
【０００４】
【発明が解決しようとする課題】
しかし、上述の引手構造においては、指掛け部分の深さに対して指が掛かり易いように考慮されているが、例えば、指先が不自由な人が引戸を引こうとする際の、引戸を引くための力の掛け方、指の掛かり方は考慮されていない。
そこで、本発明においては、指先の不自由な障害者や老人を含め誰にでも平等に扱い易いユニバーサルデザインに準拠した建具用引手を提供する。
【０００５】
【課題を解決するための手段】
本発明の解決しようとする課題は以上の如くであり、次にこの課題を解決するための手段を説明する。
【０００６】
即ち、請求項１においては、建具に取り付けられる引手において、手指を挿入して引き操作するための凹部と、該凹部の周囲に形成された鍔部とで引手を構成し、該凹部を左右一側の浅い底面と左右他側の深い底面の二段に形成し、深い底面を手の腹が入る大きさとしたものである。
【０００７】
請求項２においては、請求項１に記載の建具用引手において、鍔部と凹部の深い底面との間の面、及び、浅い底面と深い底面の間に形成される境界面を曲面としたものである。
【０００８】
請求項３においては、請求項１又は請求項２に記載の建具用引手において、前記凹部の浅い底面及び深い底面の周縁部に形成される角部に面取り加工を施したものである。
【０００９】
【発明の実施の形態】
次に、発明の実施の形態を説明する。
図１は本発明の建具用引手の全体的な構成を示す斜視図、図２は同じく表面平面図、図３は図２におけるＡ−Ａ矢視端面断面図、図４は本発明の建具用引手の裏面図、図５は本発明の建具用引手の使用例を示す図、図６は同じく別使用例を示す図、図７は別実施例の建具用引手の使用例を示す図、図８は従来の建具用引手の取付状態を示す要部断面図である。
【００１０】
本発明の建具用引手の構成を図１、図２を用いて説明する。
但し、本実施例では、建具用引手を取り付ける建具として襖を採用して説明するが、本発明に係る建具用引手の用途は襖に限定されるものではなく、引戸式の建具全般に適応させることができる。
【００１１】
図１、図２に示すように建具用引手１は、襖２０を開閉するために手指が掛けられる指掛け部を有する引手本体１０と、該引手本体１０を襖の所定位置に固定するための固定部である鍔部１１とから構成されている。前記鍔部１１は薄い板状に構成され、平面視においては長方形の四隅を丸に切り欠いた形状を為し、その中心位置に引手本体１０の形状に合わせた形状であって鍔部１１より襖２０の厚み方向中心側へ突出した凹部１２が設けられている。そして、建具用引手１は合成樹脂等により射出成形等で引手本体１０と鍔部１１は一体成形されている。つまり、建具用引手１は全体として、引手本体１０とその周縁部から外向きに突出した鍔部１１で構成されている。
【００１２】
次に、前記引手本体１０について説明する。
引手本体１０には凹部１２が形成され、該凹部１２は左右方向（図２において）のほぼ中心位置に上下方向の境界面２１が形成されており、本実施例では境界面２１を波状に湾曲した形状としている。該境界面２１より左右一側（本実施例では右側で以後、図２において紙面上右側を右とする）が浅い底面１３、左側が深い底面１４に形成され、図３に示すように断面視においては柄杓形に形成されている。なお、前記凹部１２は鍔部１１より襖２０の厚み方向中心側へ突出しており、該凹部１２の奥面、すなわち、鍔部１１と略平行に形成され凹部１２の奥側にある面を底面とする。
前記深い底面１４の位置は浅い底面１３よりも鍔部１１と反対側に位置している。すなわち、深い底面１４は浅い底面１３よりも襖２０の厚み方向へ窪んだ位置にあり、引手本体１０を襖２０に装着した際に、襖２０の裏面からはみ出さない程度に最大限深くされている。具体的には、深い底面１４は襖の厚みに対して６０〜８０％程度の窪み深さとし、浅い底面１３は襖の厚みに対して５〜１５％程度の窪み深さをもたせている。
【００１３】
また、凹部１２の深い底面１４と浅い底面１３との間の境界面２１と、深い底面１４と鍔部１１の間の該鍔部１１と略直交する方向に形成された面２２（境界面２１と反対側の面）が、襖２０を開閉する際の指掛け部となり、深い底面１４の窪み深さに比例して、前記指掛け部の面積は大きくなる。そして、引手の窪みを上下方向に長く構成することで左右方向に長い窪みを構成した引手よりも大きく、かつ、操作性もよくなっている。そして深い底面１４の上下方向の長さは大人の手の四本の指先（指の第一関節）が入る程度としている。更に、深い底面１４が凹部１２の左右中心線よりも左側に位置させ、言い換えれば、深い底面１４が左右中心よりも左右一側に偏って配置することで、裏面同士を合わせて固定するとき、突出部は重なることがなく、従来の技術において図８を用いて説明した従来の引手に比して指掛け部の面積を広く、かつ、深く構成することができるのである。
また、境界面２１は鍔部１１に対して垂直とせず若干鋭角として傾斜させることで、表裏重ねた時に境界面２１の浅い底面１３側をできるだけ左右中心に配置しても当たることがなく、深い底面１４が位置する凹部をできるだけ大きくすることができ、操作し易くできる。
【００１４】
さらに、前記境界面２１と浅い底面１３との交差部分の出角１８と、前記境界面２１と深い底面１４との交差部分の入り角１９には面取り加工が施されて滑らかにされ、当たりを柔らかくしている。すなわち、凹部１２の深い底面１４及び浅い底面１３の外周縁に形成される入角及び出角は断面視曲面としているのである。このように、襖を開閉する際に指掛け部２２に手指を掛けたときに、角が手指に当接して痛くならないように配慮が為されている。
【００１５】
また、図４に示すように、鍔部１１の裏面側からは円筒形状の嵌合用突起２５・２５・・・が突出され、本実施例では四隅から突出している。該嵌合用突起２５・２５・・・は上下左右対称の位置に配置され、表裏から建具用引手１を合わせた時に嵌合用突起２５・２５同士が嵌合して固定できるように構成している。例えば、左右（または上下）一側より突出する嵌合用突起２５・２５にスプリングピン等の嵌合具２６・２６を突出し、左右（または上下）他側より突出する嵌合用突起２５・２５には前記嵌合具２６・２６を挿入して固定できる凹部２５ａ・２５ａを形成する。
【００１６】
このように、嵌合用突起２５・２５・・・を設けた建具用引手１を襖２０に固定する際には、同形状の二つの建具用引手１・１を襖２０の引手装着部に穿孔された貫通孔に対して、その表裏面から深い底面１４と浅い底面１３とを合わせるように互い違いに嵌合するのである。嵌合の際には、一方の建具用引手１の嵌合具２６・２６が、他方の建具用引手１の嵌合用突起２５・２５の凹部２５ａ・２５ａに嵌入して固定するのである。
そして、互い違いに嵌合された二つの建具用引手１・１は鍔部１１を襖の表裏面から突出して固定される。
なお、本実施例においては部品点数の削減の観点から同一の建具用引手１・１を嵌合することで襖に固定可能としたが、一方の建具用引手１の全ての嵌合用突起２５・２５・・・に嵌合具２６・２６・・・を取り付け、他方の建具用引手１の全ての嵌合用突起２５・２５・・・に嵌合具を挿入できる凹部２５ａ・２５ａ・・を設けることで嵌合することもできる。
【００１７】
以上のような建具用引手１の構成により、襖の厚みに対して引手の指掛け部の深さを最大限に深くできるのである。また、浅い底面１３の表面を小さな凹凸を形成した粗面とすることで、摩擦抵抗が大きくなり、手を押し当てて摩擦抵抗だけで襖を開け閉めできるようにしている。
また、襖に対して引手を嵌合式に装着したため、襖の張り替え時に引手の着脱が容易となる。さらに、釘等で固定する場合では、釘の打ちつけ面が指掛け部から突出して怪我をする虞があるが、本発明の建具用引手においては指掛け部にそのような突出面がないために、引手を引く際に怪我をする虞がないものである。
【００１８】
また、前述において説明した建具用引手１の全体的なサイズは、従来のものと比較して大きくされており、指掛け部２２を形成する深い底面１４を手の腹が挿入できる面積に設計し、手の腹による襖の開閉を可能としている。さらに、前述したように、指掛け部における角部にはＲ加工が施されて丸くされているため、引手を手の腹で押圧した場合にも痛くないようにされているのである。このように、指先が不自由な障害者や握力の低下した老人にとっても手の腹で操作できるため襖の開閉が行いやすくなるのである。
【００１９】
ここで、より具体的に説明するために本発明の建具用引手１の使用例を図５及び、図６により説明する。
図５においては、深い底面１４に指を挿入した際の図であり、指掛け部の面積が従来のものより大きくなっており、指の掛かりが深く襖の開閉が行い易くなっている。また、図６においては、深い底面１４に手の腹を挿入した際の図であり、半楕円形状に形成された指掛け部に親指の付根部分がうまく合致して引っ掛かり易くなっているのである。さらに、図示しないが小指の付根部分を境界面２１に押し当てて、襖の開閉を行うこともできる。このように、指先を使わずに襖の開閉が行えるため、指先の自由・不自由に関わらず平等な操作性を提供できるのである。
【００２０】
以上のように構成された建具用引手１は既存の引手のイメージからかけ離れた形状はしておらず、襖との調和を考慮したデザインとされており意匠性を損なわないものである。
【００２１】
また、建具用引手は別実施形態として図７に示すような形態とすることもできる。
この場合、前述において説明した建具用引手１と引手本体の形状は異なるが、発明の趣旨は同様であり、引手本体５０を深い底面５４と浅い面５３とで左右分割して指掛け部５２の面積を大きくしており、また、手の腹で操作できるように引手本体５０の開口面積を大きくし、手の腹が合致し易いように指掛け部５２を「く」字状に折曲しているものである。該「く」の字に折曲された折曲部５２ａにはＲ加工が施されて手指を掛ける際に痛くないように配慮されている、さらに、引手本体５０の左右方向中心位置の上下に突設される突起５５の裏面側には嵌合用突起が設けられて、同形状の二つの引手を嵌合させることで襖への装着を可能としている。
このように、本発明は上述において説明した形態に限定されるものではなく、別形状の建具用引手であっても、本発明を適用することはできる。
【００２２】
以上のように、一般の人にとっても、指先の不自由な障害者や握力の低下した老人等にとっても平等に扱い易いユニバーサルデザインに準拠した建具用引手を実現できるのである。
【００２３】
【発明の効果】
本発明は、以上のように構成したので、以下に示すような効果を奏する。
【００２４】
即ち、請求項１に示す如く、建具に取り付けられる引手において、手指を挿入して引き操作するための凹部と、該凹部の周囲に形成された鍔部とで引手を構成し、該凹部を左右一側の浅い底面と左右他側の深い底面の二段に形成し、深い底面を手の腹が入る大きさとしたので、指先の不自由な障害者や握力の低下した老人にとっても手の腹を用いて襖の開閉を容易に行うことができる。
【００２５】
請求項２に示す如く、請求項１に記載の建具用引手において、鍔部と凹部の深い底面との間の面、及び、浅い底面と深い底面の間に形成される境界面を曲面としたので、襖を開閉する際に手指が指掛け部に掛かり易くなる。
【００２６】
請求項３に示す如く、請求項１又は請求項２に記載の建具用引手において、前記凹部の浅い底面及び深い底面の周縁部に形成される角部に面取り加工を施したので、襖を開閉する際に指先や手が角に当接することがなく、襖の開閉を行い易くなる。
【図面の簡単な説明】
【図１】本発明の建具用引手の全体的な構成を示す斜視図。
【図２】同じく表面平面図。
【図３】図２におけるＡ−Ａ矢視端面断面図。
【図４】本発明の建具用引手の裏面図。
【図５】本発明の建具用引手の使用例を示す図。
【図６】同じく別使用例を示す図。
【図７】別実施例の建具用引手の使用例を示す図。
【図８】従来の建具用引手の取付状態を示す要部断面図。
【符号の説明】
１　　建具用引手
１０　引手本体
１２　凹部
１３　浅い底面
１４　深い底面
２０　襖
２２　指掛け部
【図１】
2004076507.tif 000003
【図２】
2004076507.tif 000004
【図３】
2004076507.tif 000005
【図４】
2004076507.tif 000006
【図５】
2004076507.tif 000007
【図６】
2004076507.tif 000008
【図７】
2004076507.tif 000009
【図８】
2004076507.tif 000010